(57)【要約】【課題】バックフォーカス調整を行う操作リングは、レンズ装置後端の比較的カメラとの取り付けマウントに近い位置に配置されるが、マウントに近い位置ではカメラからの構造物の出張りなどが操作リングの操作の弊害となり、バックフォーカスが合わせ難い。【解決手段】バックフォーカスを所定のレンズ、又はレンズ群をレンズ光軸方向に移動することで変更するバックフォーカス駆動手段と、絞り開口径を変更する絞り駆動手段と、レンズ光軸を略中心に回転し、絞り駆動手段を回転操作する絞り操作リングと、絞り操作リングと絞り駆動手段、又はバックフォーカス駆動手段のどちらか一方と連結する連結手段と、連結手段による絞り操作リングと絞り駆動手段、又はバックフォーカス駆動手段との連結状態を切り替える連結切替手段を有することを特徴とする。【選択図】図１
2017097135.tif 000002
【特許請求の範囲】
【請求項１】
バックフォーカスを所定のレンズ、又はレンズ群をレンズ光軸方向に移動することで変更するバックフォーカス駆動手段と、絞り開口径を変更する絞り駆動手段と、レンズ光軸を中心に回転し、前記絞り駆動手段を回転操作する絞り操作リングと、該絞り操作リングと前記絞り駆動手段、又は前記バックフォーカス駆動手段のどちらか一方と連結する連結手段と、該連結手段による前記絞り操作リングと前記絞り駆動手段、又は前記バックフォーカス駆動手段との連結状態を切り替える連結切替手段を有することを特徴とするレンズ装置。
【請求項２】
前記連結切替手段による前記絞り操作リングと前記絞り駆動手段の連結と分離の切替は、絞りが最大開口径の状態となる前記絞り操作リングの回転位置で行うことを特徴とする請求項１に記載のレンズ装置。
【請求項３】
前記連結切替手段により前記絞り操作リングと前記絞り駆動手段が分離された状態の時に、絞り最大開口径が保持される絞り保持手段と、前記絞り操作リングと前記バックフォーカス駆動手段が分離された状態の時に、バックフォーカス位置が保持されるバックフォーカス保持手段を有することを特徴とする請求項２に記載のレンズ装置。
【請求項４】
前記連結切替手段は、前記絞り操作リングが前記絞り駆動手段、及び前記バックフォーカス駆動手段の双方と分離された中間切替領域を有することを特徴とする請求項３に記載のレンズ装置。
【請求項５】
前記連結切替手段による前記絞り操作リングと前記絞り駆動手段の連結と分離の切替は、前記絞り操作リングにより前記絞り駆動手段を操作する絞り操作範囲で絞りが最大開口径となる回転位置より、最大開口径の状態を維持したさらに回転した位置で行われることを特徴とする請求項４に記載のレンズ装置。
【請求項６】
バックフォーカスを所定のレンズ、又はレンズ群をレンズ光軸方向に移動することで変更するバックフォーカス駆動手段と、ズームレンズ群をレンズ光軸方向に移動するズーム駆動手段と、レンズ光軸を中心に回転し、前記ズーム駆動手段を回転操作するズーム操作リングと、該ズーム操作リングと前記ズーム駆動手段、又は前記バックフォーカス駆動手段のどちらか一方と連結する連結手段と、該連結手段による前記ズーム操作リングと前記ズーム駆動手段、又は前記バックフォーカス駆動手段との連結を切り替える連結切替手段を有することを特徴とするレンズ装置。
【請求項７】
前記連結切替手段による前記ズーム操作リングと前記ズーム駆動手段の連結と分離の切替は、ズーム位置が最大広角の焦点距離の状態となる前記ズーム操作リングの回転位置で行うことを特徴とする請求項６に記載のレンズ装置。
【請求項８】
前記連結切替手段により前記ズーム操作リングと前記ズーム駆動手段が分離された状態の時に、最大広角の焦点距離が保持されるズーム保持手段と、前記ズーム操作リングと前記バックフォーカス駆動手段が分離された状態の時に、バックフォーカス位置が保持されるバックフォーカス保持手段を有することを特徴とする請求項７に記載のレンズ装置。
【請求項９】
前記連結切替手段は、前記ズーム操作リングが前記ズーム駆動手段、及び前記バックフォーカス駆動手段の双方と分離された中間切替領域を有することを特徴とする請求項８に記載のレンズ装置。
【請求項１０】
前記連結切替手段による前記ズーム操作リングと前記ズーム駆動手段の連結と分離の切替は、前記ズーム操作リングにより前記ズーム駆動手段を操作するズーム操作範囲で最大広角の焦点距離となる回転位置より、最大広角の焦点距離の状態を維持したさらに回転した位置で行われることを特徴とする請求項９に記載のレンズ装置。
【発明の詳細な説明】
【技術分野】
【０００１】
本発明は、レンズ装置に関し、特にバックフォーカス機構を有するレンズ装置とその調整方法に関する。
【背景技術】
【０００２】
特許文献１は、映画撮影用のレンズ装置である。バックフォーカス機構を有するレンズ装置が、バックフォーカスを調整する操作リングを回転してもフォーカスや絞りの設定位置が変わらない構造の技術が開示されている。
【先行技術文献】
【特許文献】
【０００３】
【特許文献１】特許第４２０４８９０号公報
【発明の概要】
【発明が解決しようとする課題】
【０００４】
しかしながら、従来のレンズ装置では、以下に述べるような問題点が生じていた。フォーカスやズームや絞りの調整は、レンズ光軸を中心に回転するそれぞれの操作リングを手で回して操作したり、操作リングの円周面に設けられたギヤにレンズ装置とは別の操作部のギヤを取り付けて、ギヤと噛み合った操作部のノブやレバーを操作して行う。そのため操作リングは、周囲に操作や取り付けの支障となる構造物が無い、直接触れ易いレンズ装置の位置に配置されている。それに対してバックフォーカス調整を行う操作リングは、レンズ装置の光軸方向に、他の操作リングよりカメラとの取り付けマウントに近い位置に配置されている。
【０００５】
マウントに近い位置では、マウントに取り付けられたカメラからの構造物の出張りやケーブルなどが操作リングの周囲に介在し、操作し難い場合がある。また、特に映画撮影用のレンズ装置やカメラでは、周囲に上述の操作部や撮影補助部材を設置する場合があり、さらに操作リングを操作することが困難となり、バックフォーカスが合わせ難く撮影に支障をきたす恐れがある。
【０００６】
そこで、本発明の目的は、バックフォーカス調整のための操作に関して、他のフォーカスやズームや絞りの操作のように操作し易いレンズ装置を提供することにある。
【課題を解決するための手段】
【０００７】
上記の目的を達成するために、本発明に係るレンズ装置は、
バックフォーカスを所定のレンズ、又はレンズ群をレンズ光軸方向に移動することで変更するバックフォーカス駆動手段と、絞り開口径を変更する絞り駆動手段と、レンズ光軸を略中心に回転し、絞り駆動手段を回転操作する絞り操作リングと、絞り操作リングと絞り駆動手段、又はバックフォーカス駆動手段のどちらか一方と連結する連結手段と、連結手段による絞り操作リングと絞り駆動手段、又はバックフォーカス駆動手段との連結状態を切り替える連結切替手段を有することを特徴とする。
【０００８】
また本発明に係るレンズ装置は、
ズームレンズ群をレンズ光軸方向に移動するズーム駆動手段と、レンズ光軸を略中心に回転し、ズーム駆動手段を回転操作するズーム操作リングと、ズーム操作リングとズーム駆動手段、又はバックフォーカス駆動手段のどちらか一方と連結する連結手段と、連結手段によるズーム操作リングとズーム駆動手段、又はバックフォーカス駆動手段との連結を切り替える連結切替手段を有することを特徴とする。
【０００９】
本発明の更なる目的、又はその他の特徴は、以下、添付の図面を参照して説明される好ましい実施例等によって明らかにされるであろう。
【発明の効果】
【００１０】
本発明によれば、絞り操作リングやズーム操作リングを用いてバックフォーカスの操作を行うことでバックフォーカスの調整が容易なレンズ装置を提供することができる。
【図面の簡単な説明】
【００１１】
【図１】本発明のレンズ装置の内部に関連する装置の概要を表した概要図である。
【図２】本発明のレンズ装置の外装表面に関連する装置の概要を表した概要図である。
【図３】本発明の絞りユニットの概要を表した概要図である。
【図４】本発明の絞り操作リングの回転範囲を表した概要図である。
【図５】本発明のスライドコマと周辺構造の概要を表した概要図である。
【図６】本発明の絞り連結切替機構の概要を表した概要図である。
【図７】本発明の絞り連結切替機構の概要を表した概要図である。
【図８】本発明の絞り回転ピンを付勢する板バネの概要を表した概要図である。
【図９】本発明の絞り連結切替機構の概要を表した概要図である。
【図１０】本発明の切替ノブの概要を表した概要図である。
【図１１】本発明のバックフォーカス位置固定の概要を表した概要図である。
【図１２】本発明のレンズ装置の内部に関連する装置の概要を表した概要図である。
【図１３】本発明のレンズ装置の外装表面に関連する装置の概要を表した概要図である。
【図１４】本発明のカム環の概要を表した展開図である。
【図１５】本発明のズーム操作リングの回転範囲を表した概要図である。
【図１６】本発明のズーム連結切替機構の概要を表した概要図である。
【発明を実施するための形態】
【００１２】
以下に、本発明の実施の形態を添付の図面に基づいて詳細に説明する。
【００１３】
［実施例１］
図１、図２は本発明の構成を有するレンズ装置の概要を示す概要図である。図１は主にレンズ装置の内部を、図２は主にレンズ装置の外装表面の概要を示している。
【００１４】
レンズ装置１００には、固定フォーカスレンズ群１、移動フォーカスレンズ群２、ズームレンズ群３Ａ、３Ｂ、絞りユニット４、リレーレンズ群５が内包されている。移動フォーカスレンズ群２は結像位置を可変とするレンズ群であり、ズームレンズ群３Ａ、３Ｂは焦点距離を可変とするレンズ群である。これらのレンズ群を通過した光は、絞りユニット４とリレーレンズ群５を介して、マウント６に取り付けられる図示しないカメラ内の撮像素子に到達する。
【００１５】
レンズ装置１００の鏡胴７には、フォーカス操作リング８、ズーム操作リング９、絞り操作リング１０がレンズ光軸を中心に回転自在に設けられている。それぞれの操作リングの表面円周上には、フォーカス操作リング８がギヤ１１を、ズーム操作リング９がギヤ１２を、そして絞り操作リング１０がギヤ１３を有している。ギヤ１１、１２、１３は、それぞれレンズ装置１００とは別の図示しない操作部のギヤと噛み合い、さらに操作部のギヤは、操作部に設けられた図示しないノブやレバーと噛み合って、ノブやレバーを操作することで上述の各操作リングが回転する。
【００１６】
またそれぞれの操作リングには、表面円周上に駆動するレンズや絞りの状態を表す指標が表示されており、フォーカス操作リング８にはフォーカス指標１４が、ズーム操作リング９にはズーム指標１５が、そして絞り操作リング１０には絞り指標１６が表示されている。さらに鏡胴７に表示された指標基準線１７によりフォーカス指標１４の表示位置からフォーカスの状態を視認できる。また指標基準線１８によりズーム指標１５の表示位置からズームの状態が視認でき、そして絞り指標１６の表示位置から絞りの状態を視認することができる。
【００１７】
フォーカス操作リング８は、移動フォーカスレンズ群２と図示しないネジ送り機構を介してガイド部１９で連結されており、フォーカス操作リング８を回転操作すると、ガイド部１９とネジ送り機構を介して移動フォーカスレンズ群２がレンズ光軸方向に駆動される。
【００１８】
ズーム操作リング９は、ズームレンズ群３Ａ、３Ｂとカム軸２０、及び鏡胴７の内径側にレンズ光軸を中心に回転自在に設けられたカム環２１で係合されている。ズーム操作リング９を回転操作すると、カム軸２０を介してカム環２１が回転し、ズームレンズ群３Ａ、３Ｂはカム環２１に設けられたカム溝の軌跡に沿ってそれぞれが光軸方向に駆動される。
【００１９】
絞り操作リング１０には、絞りの操作とバックフォーカスの操作を切り替える切替ノブ２２と、切替ノブ２２と共にレンズ光軸方向に移動可能なスライドコマ２３が設けられている。スライドコマ２３と絞りユニット４は、後述する絞りの操作とバックフォーカスの操作の切替によって絞り操作に切り替わった時に、回転ピン２４、及びガイド２５を介して連結される。また絞りユニット４には、複数の絞り羽根２６と、絞りカム板２７が取り付けられている。
【００２０】
図３は絞り羽根２６と絞りカム板２７の概要を示した概要図である。
【００２１】
図３において、絞り羽根２６は２６ａ、２６ｂ、２６ｃ、２６ｄ、２６ｅ、２６ｆまでの６枚で構成されている。絞り羽根２６ａ〜２６ｆは、それぞれガイドピン３０ａ、３０ｂ、３０ｃ、３０ｄ、３０ｅ、３０ｆを有し、カム溝３１ａ、３１ｂ、３１ｃ、３１ｄ、３１ｅ、３１ｆに係合している。図３では、一例として絞り最大開口径である「Ｆ２」の位置にそれぞれの絞り羽根が配置されている。
【００２２】
絞り操作に切り替わった時に絞り操作リング１０を回転操作すると、スライドコマ２３、回転ピン２４、及びガイド２５を介して絞りカム板２７が回転して、カム溝３１の軌跡にガイドピン３０が沿って移動し、絞り羽根２６の位置が変化して絞り開口径が変更される。図３では、絞り最大開口径「Ｆ２」の位置から最小開口径である「Ｆ２２」の位置まで絞り開口径が変化する。さらに、「Ｆ２」の位置から後述するバックフォーカス切替の位置まで絞りカム板２７は回転可能である。なお、図３では絞り羽根の枚数を６枚としているが、枚数はこれに限定されるものではない。
【００２３】
リレーレンズ群５は、レンズ光軸を中心に回転自在に鏡胴７内に内包された回転環２８、及び回転ピン２９と、図示しないネジ送り機構を介して連結されており、回転環２８が回転すると回転ピン２９とネジ送り機構を介してレンズ光軸方向に駆動される。回転環２８は、後述する絞り操作とバックフォーカス操作の切替によって、回転ピン２９と係合した状態でレンズ光軸方向に移動する。また回転環２８の外径円周上の一部には、指標３２が表示されており、鏡胴７の表示窓３３から視認することができる。さらに鏡胴７には指標基準線３４も表示されており、指標３２の表示位置から回転環２８の回転位置の状態を視認することができる。ところでリレーレンズ群５は、レンズ装置１００のバックフォーカスを変更するレンズ群であり、バックフォーカスの操作に切り替わった時に、バックフォーカスが変更可能となる。
【００２４】
次に、絞り操作とバックフォーカス操作の切替について、詳細に説明する。
【００２５】
図４は絞り操作リング１０の回転操作範囲の概要を表している。
【００２６】
絞り操作リング１０は、絞りの操作を行う時は、絞り最大開口径である「Ｆ２」の角度位置から絞り最小開口径の「Ｆ２２」の角度位置まで回転する。このとき回転ピン２４は、スライドコマ２３に設けられたレンズ光軸方向に平行な直溝３５に係合した状態であり、絞り操作リング１０の回転に応じてスライドコマ２３と同時に角度位置が変化する。また絞り操作リング１０は、「Ｆ２」の位置よりさらに回転した位置であるバックフォーカス切替の角度位置まで回転し、同時にスライドコマ２３と回転ピン２４の角度位置も変化する。
【００２７】
ところで、「Ｆ２」の位置からバックフォーカス切替位置までは、図３のカム溝３１の軌跡が径方向に変化しない形状となっているため、絞りカム板２７が回転してもガイドピン３０の径方向の位置も変化しない。したがって絞り羽根２６による絞り開口径も変化せず、「Ｆ２」の位置からバックフォーカス切替位置までは絞り最大開口径が保持された状態となる。
【００２８】
次に図５の概要図を用いて、スライドコマ２３と周辺の構造について説明する。スライドコマ２３は、絞り操作リング１０とガイド３６を介して係合しており、ガイド３６によりレンズ光軸方向に移動する。また絞り操作リング１０には、レンズ光軸方向に伸びた長溝３７が設けられており、スライドコマ２３は長溝３７の中の接続ピン３８を介して切替ノブ２２と接続されている。また、スライドコマ２３の表面には、移動時に回転環２８側と接触するための摩擦板３９が取り付けられている。
【００２９】
図６は図４の「Ｆ２」の位置から「Ｆ２２」の位置までの絞り操作を行う範囲の絞りとバックフォーカスの構成要素の状態を示す概要図である。
【００３０】
図６において、切替ノブ２２は、絞り操作リング１０の中でギヤ１３から最も離れた図中の左側の位置、つまりレンズ光軸方向における前端の位置に在り、同時に接続された接続ピン３８とスライドコマ２３も前端に位置している。このとき、回転ピン２４はスライドコマ２３の直溝３５に収まった状態であり、絞り操作リング１０の回転操作により絞り開口径が変化する。規制板４０は、スライドコマ２３のレンズ光軸方向の移動を規制する部材であり、スライドコマ２３が移動する図４のバックフォーカス切替位置を除いてレンズ光軸を中心に図示しない略円弧状の形状を成す。
【００３１】
バックフォーカス切替位置以外では、スライドコマ２３は規制板４０に遮られ、レンズ光軸方向の前端から後側へ移動できない。したがって絞り操作の範囲においては、絞り操作リング１０は絞り操作のみが可能となる。
【００３２】
回転環２８のレンズ光軸方向の前側の表面には、摩擦板４１が取り付けられている。また回転環２８の後側には、弾性部材４２が受け板４３との間に組み込まれている。弾性部材４２は、圧縮バネや板バネなどの部材で構成され、回転環２８をレンズ光軸方向前側に付勢する。そして回転環２８は、付勢された押圧力により前側表面に取り付けられた摩擦板４１が接触板４４と接触する。このとき、回転環２８は摩擦板４１と接触板４４との摩擦力により回転が規制され、同時に回転環２８と回転ピン２９を介して連結したリレーレンズ群５もレンズ光軸方向への移動が規制されるため、バックフォーカス位置が固定された状態となる。
【００３３】
ところで、接触板４４はレンズ光軸を中心に図示しない略円弧状の形状を成し、後述するバックフォーカスの操作の時にスライドコマ２３が回転する範囲では接触しない位置で固定されている。また摩擦板４１と上述の摩擦板３９は、樹脂、又は金属焼結材で成形された複合材料で製造されており、表面の摩擦係数が高く、接触面に押圧を与えることで高い摩擦力を得る。なお、摩擦板３９や４１と接触板４４の表面に微細な歯型形状を施して噛みあいによる組み合せで回転規制を行っても良く、回転規制を与える構成であれば実施例に限定されるものではない。
【００３４】
図７は図４のバックフォーカス切替位置における絞りとバックフォーカスの構成要素の状態を示す概要図である。なお、先に説明した図と同一部分には同一符号を付している。
【００３５】
図７において、切替ノブ２２は、絞り操作リング１０の中でギヤ部１３に最も近い図中の右側の位置、つまりレンズ光軸方向での後端の位置に在り、同時に接続された接続ピン３８とスライドコマ２３も後端に位置している。このとき、回転ピン２４はスライドコマ２３の直溝３５から分離した状態となり、絞り操作リング１０の回転操作で絞りの操作ができない。スライドコマ２３が後端まで移動すると、スライドコマ２３の摩擦板３９が回転環２８の摩擦板４１と接触し、さらに弾性部材４２の押圧力に抗って回転環２８をレンズ光軸方向後側に移動する。そして摩擦板４１と接触板４４が分離する位置まで回転環２８が移動して、回転環２８の回転規制が解除される。
【００３６】
ただし回転環２８が移動しても、回転環２８と回転ピン２９の連結状態は維持される。したがって、摩擦板３９と４１の間の摩擦力により絞り操作リング１０からリレーレンズ群５までが連結された状態となり、絞り操作リング１０の回転操作によりバックフォーカスの操作が可能となる。なお、規制板４０はバックフォーカス切替位置でスライドコマ２３の移動を規制する形状が存在しないため、スライドコマ２３は後側に移動可能である。また接触板４４も上述のようにスライドコマ２３がバックフォーカスのため回転する範囲では接触しない位置に固定されている。
【００３７】
ところで、図４での「Ｆ２」の位置からバックフォーカス切替位置までの操作は、撮影中に行う絞り操作と目的が異なることを操作者に判別できるようにすることが望ましい。またバックフォーカス切替位置でスライドコマ２３と回転ピン２４が分離された状態の時、絞り開口径が変化しないように位置を規制する必要がある。
【００３８】
図８は「Ｆ２」の位置からバックフォーカス切替位置までの操作と、絞りの操作を判別できるように設けた板バネ４５の概要図である。
【００３９】
板バネ４５は、鏡胴７の内側の壁面に固定されており、斜面４６とＶ溝４７を有している。斜面４６は回転ピン２４が「Ｆ２」の位置に到達した時に当接する位置にあり、Ｖ溝４７は回転ピン２４がバックフォーカス切替位置に到達した時に当接する位置にある。またレンズ光軸を中心として略円弧状の形状を成している。
【００４０】
斜面部４６に当接した回転ピン２４がバックフォーカス切替位置に向けて回転すると、板バネ４５が弾性力により変形し、弾性力に抗った回転力が必要となる。操作者が絞り操作リング１０に回転に必要な力を与えて「Ｆ２」の位置から回転し、回転ピン２４がバックフォーカス切替位置に到達すると、Ｖ溝４７に嵌り込み回転ピン２４の回転が規制される。またバックフォーカス切替位置から「Ｆ２」の位置まで戻る場合は、Ｖ溝４７から回転ピン２４を脱するための板バネ４５の弾性力に抗った回転力を与えて回転させる。
【００４１】
このように、板バネを設けることで絞り操作の範囲とそれ以外の範囲で必要な回転力に差が生じて操作者が判別可能であり、またバックフォーカス切替位置では絞り開口径が規制される。
【００４２】
図９は図４のバックフォーカス切替位置以外の位置に絞り操作リング１０を回転してバックフォーカス操作を終了し、絞り操作に戻す途中の状態を示す概要図である。なお、先に説明した図と同一部分には同一符号を付している。
【００４３】
図９において、切替ノブ２２は、図７で行ったバックフォーカスの操作後、レンズ光軸方向後端にあった移動位置から絞り操作のため前端に戻す途中の中間位置にあり、同時に接続された接続ピン３９とスライドコマ２３も中間に位置している。スライドコマ２３が中間位置まで移動すると、スライドコマ２３の摩擦板３９と回転環２８の摩擦板４１は分離する。そして回転環２８は、弾性部材４２の押圧力によりレンズ光軸方向前側へ移動して摩擦板４１と接触板４４が接触し、回転規制される。
【００４４】
図９のように、スライドコマ２３が中間位置にある状態では、規制板４０により前側への移動が規制され、バックフォーカス切替位置以外では前端位置に移動することができない。したがって、中間位置ではスライドコマ２３の直溝３５と回転ピン２４は分離した状態であり、絞りの操作はまだ行うことができない。そのため操作者は、バックフォーカス操作終了後、切替ノブ２２やスライドコマ２３が中間位置の状態で絞り操作リング１０をバックフォーカス切替位置まで回転する。バックフォーカス切替位置では、規制板４０の規制がなくスライドコマ２３が前端まで移動可能となるため、切替ノブ２２を前端まで移動させる。するとスライドコマ２３の直溝３５に回転ピン２４が係合し、絞り操作リング１０を絞り操作の範囲まで回転させれば絞り操作が可能となる。
【００４５】
図１０は切替ノブ２２の概要図で、図６、図７、図９のそれぞれの移動位置の状態を表している。
【００４６】
図１０において、切替ノブ２２は図６と同じく絞り操作を行うレンズ光軸方向の前端の位置にあり、切替ノブ２２に表示された指標４８が絞り操作リング１０に表示された指標４９の「ＩＲＩＳ」の位置に合致している。切替ノブ２２は、側面部に凸形状の突起５０を有しており、絞り操作リング１０に設けられた凹形状の切り欠き５１に嵌り込んで移動位置が規制されている。図１０では、絞り操作位置である切り欠き５１ａに嵌っている。
【００４７】
そして図７のバックフォーカスの操作を行う場合は、切替ノブ２２が後端に移動して突起５０が切り欠き５１ｂに嵌り込んで移動位置が規制され、このとき指標４８は指標４９の「ＦＢ」の位置に合致する。さらに図９の中間位置では、切替ノブ２２が中間に移動して突起５０が切り欠き５１ｃに嵌り込んで移動位置が規制され、このとき指標４８は指標４９の「ＵＮＬＯＣＫ」の位置に合致する。ところで突起５０は、樹脂など弾性変形する材料で製造されており、切り欠き５１から脱するときは弾性変形して切替ノブ２２が移動する。
【００４８】
ここで切り欠き５１から脱する時に必要な操作力は、図７においてスライドノブ２３が回転環２８を弾性部材４２の押圧力に抗って移動する力より強く設定されているため、図７では後端での位置が保持されている。なお、図１０では突起５０と切り欠き５１の組み合わせで切替ノブ２２の移動を規制しているが、他にボールプランジャやバネによる引っ掛けを用いた従来の位置決め手段でも代用可能であり、実施例に限定されたものではない。
【００４９】
以上のような構成により、絞りが最大開口径の状態でバックフォーカスの調整が可能であり、また調整が容易なレンズ装置を提供することができる。なお、実施例ではバックフォーカス位置の規制は摩擦力によって行っているが、より強固に規制したい場合は図１１のようなネジによる固定を設けてもよい。
【００５０】
図１１はバックフォーカス位置を規制する固定ネジの概要図である。
【００５１】
固定ネジ５２は、回転環２８の円周の一部に設けられたネジ部５３と螺合結合し、固定ネジ５２の頭部が鏡胴７に設けられ、円周方向に伸びた長溝５４から突出している。長溝５４は、回転環２８のレンズ光軸方向の移動と共に固定ネジ５２が移動する量を考慮して、幅が広く設定されている。固定ネジ５２を回すと、ネジの先端が回転環２８の内径側にある鏡胴７の一部に当接し、ネジの締付力により回転環２８の回転やレンズ光軸方向の移動が規制される。固定ネジ５２は、カメラからの出っ張りや撮影補助部材の影響を比較的受け難い鏡胴７の外径円周上に配置される。例えば鏡胴７の上面に配置したり、さらには１箇所ではなく外径円周上に複数配置して操作し易い固定ネジを選択して操作する。
【００５２】
［実施例２］
図１２、図１３は本発明の構成を有する第２のレンズ装置の概要を示す概要図である。なお、先に説明した図と同一部分には同一符号を付しており、それぞれの機能の説明については省略する。
【００５３】
図１２、図１３において、図１、図２のレンズ装置と異なる主な点は、絞り操作リング１０に設けられていた切替ノブ２２の代わりに、ズーム操作リング５５にズーム操作とバックフォーカス操作を切り替える切替ノブ５６が設けられた点である。図１２は主にレンズ装置の内部を、図１３は主にレンズ装置の外装表面の概要を示している。
【００５４】
レンズ装置２００には、レンズ装置１００と同様に固定フォーカスレンズ群１、移動フォーカスレンズ群２、ズームレンズ群３Ａ、３Ｂ、絞りユニット５７、リレーレンズ群５が内包されている。また鏡胴５８には、フォーカス操作リング８、ズーム操作リング５５、絞り操作リング５９がレンズ光軸を中心に回転自在に設けられている。それぞれの操作リングには、表面円周上に駆動するレンズや絞りの状態を表す指標が表示されており、指標基準線６０はフォーカスとズームの状態を、指標基準線１８は絞りの状態を視認することができる。
【００５５】
ズーム操作リング５５には、ズームの操作とバックフォーカスの操作を切り替える切替ノブ５６と、切替ノブ５６と共にレンズ光軸方向に移動可能なスライドコマ６１が設けられている。スライドコマ６１とズームレンズ群３Ａ、３Ｂは、後述するズームの操作とバックフォーカスの操作の切替によってズーム操作に切り替わった時に、カム軸６２、及び鏡胴５８の内径側にレンズ光軸を中心に回転自在に設けられたカム環６３で連結される。そしてズーム操作リング５５を回転操作すると、カム軸６２を介してカム環６３が回転し、ズームレンズ群３Ａ、３Ｂはカム環６３に設けられたカム溝の軌跡に沿ってそれぞれが光軸方向に駆動される。
【００５６】
また、スライドコマ６１にはレンズ光軸方向の後面側に、連結ガイド６４が取り付けられている。連結ガイド６４は、絞り操作リング５９の内径側を通って後述するバックフォーカスとの切替の時に絞りの回転環２８まで接触する。
【００５７】
絞り操作リング５９は、回転ピン６５と係合し、ガイド２５を介して絞りユニット５７に連結される。絞りユニット５７には、複数の絞り羽根２６と、絞りカム板６６が取り付けられている。絞りカム板６６は、図３の絞りカム板２７と異なり、絞り開口径を変化させるカムの軌跡しか有していないため、絞り操作リング５９では絞り操作のみを行う。なお、回転ピン６５は、絞りの操作範囲では上述の連結ガイド６４と接触しない位置に配置されている。
【００５８】
図１４はカム環６３のカムの軌跡の概要を示した展開図である。
【００５９】
図１４において、ガイドピン６７ａ、６７ｂは、それぞれズームレンズ群３Ａ、３Ｂと結合し、カム溝６８ａ、６８ｂに係合している。図１４では、一例として最大広角の焦点距離となる広角端位置にガイドピンが配置されている。
【００６０】
図１４では、最大広角の焦点距離となる広角端の位置から最大望遠の焦点距離となる望遠端の位置までガイドピン６７ａ、６７ｂがカム溝６８ａ、６８ｂの軌跡に沿ってズームレンズ群３Ａ、３Ｂと共に移動する。さらに、広角端の位置から後述するバックフォーカス切替の位置までも移動可能である。
【００６１】
次に、ズーム操作とバックフォーカス操作の切替について、詳細に説明する。
【００６２】
図１５はズーム操作リング５５の回転操作範囲の概要を表している。
【００６３】
ズーム操作リング５５は、ズームの操作を行う時は、最大広角の焦点距離となる広角端の位置から最大望遠の焦点距離となる望遠端の位置まで回転する。このときカム軸６２は、スライドコマ６１に設けられたレンズ光軸方向に平行な直溝６９に係合した状態であり、ズーム操作リング５５の回転に応じてスライドコマ６１と同時に角度位置が変化する。またズーム操作リング５５は、広角端の位置よりさらに回転した位置であるバックフォーカス切替の角度位置まで回転し、同時にスライドコマ６１とカム軸６２の角度位置も変化する。
【００６４】
ところで、広角端の位置からバックフォーカス切替位置までは、図１４のカム溝３１の軌跡がレンズ光軸方向に変化しない形状となっているため、カム環６３が回転してもガイドピン６７ａ、６７ｂのレンズ光軸方向の位置も変化しない。したがってズームレンズ群３Ａ、３Ｂの位置も変化せず、広角端の位置からバックフォーカス切替位置までは最大広角の焦点距離が保持された状態となる。
【００６５】
図１６は図１５の最大広角の焦点距離となる広角端の位置から最大望遠の焦点距離となる望遠端の位置までのズーム操作を行う範囲のズームとバックフォーカスの構成要素の状態を示す概要図である。
【００６６】
図１６において、切替ノブ５６は、ズーム操作リング５５の中でギヤ１２から最も離れた図中の左側の位置、つまりレンズ光軸方向における前端の位置に在る。そしてレンズ光軸方向に伸びた長溝７０の中の切替ノブ５６と接続された接続ピン７１とスライドコマ６１も前端に位置している。このとき、カム軸６２はスライドコマ６１の直溝６９に収まった状態であり、ズーム操作リング５５の回転操作により焦点距離が変化する。連結ガイド６４のレンズ光軸方向の後面側には、摩擦板３９が取り付けられている。
【００６７】
また連結ガイド６４は、バックフォーカス切替位置以外では規制板４０に遮られ、レンズ光軸方向の前端から後側へ移動できない。したがってズーム操作の範囲においては、ズーム操作リング５５はズーム操作のみが可能となる。またこの状態の時、図６の状態と同じく回転環２８は弾性部材４２の押圧力により回転規制されており、バックフォーカス位置が固定されている。
【００６８】
この状態から図１５のバックフォーカス切替位置までズーム操作リング５５を回転して切替ノブ５６を後端の位置まで移動すると、図７と同様の作用でズーム操作とバックフォーカス操作が切り替わる。つまりスライドコマ６１の直溝６９からカム軸６２が分離し、連結ガイド６４の摩擦板３９と回転環２８の摩擦板４１が接触して、さらに回転環２８を弾性部材４２の押圧力に抗って後側方向に移動する。この時、ズーム操作リング５５の回転操作でズーム操作はできなくなるが、回転環２８と回転ピン２９の連結状態は維持されるため、代わりにバックフォーカスの操作が可能となる。
【００６９】
上述のバックフォーカスの操作を終了すると、切替ノブ５６を後端の位置から前側へ移動する。しかしズーム操作リング５５がバックフォーカス切替位置より回転した状態では、図９と同様の作用で連結ガイド６４が規制板４０に遮られ、後端から前端の位置へ移動できず、中間の位置で留まる。このとき摩擦板３９と摩擦板４１は分離し、回転環２８が前側方向へ移動して摩擦板４１と接触板４４が接触し、回転規制される。
【００７０】
続いてズーム操作リング５５をバックフォーカス切替位置まで回転すると、規制板４０の規制がなくなるため連結ガイド６４が前端まで移動可能となり、切替ノブ５６で前端まで移動する。するとスライドコマ６１の直溝６９にカム軸６２が係合し、ズーム操作リング５５をズーム操作の範囲まで回転させればズーム操作が可能となる。ところで、図１５の広角端の位置からバックフォーカス切替位置までの範囲に図８と同様の板バネを設けることで、ズーム操作の範囲とそれ以外の範囲の回転力に差をつけて判別することが可能である。またバックフォーカス切替位置で広角端の位置の状態も保持することができる。さらに、図１０と同様の位置決め手段を切替ノブ５６に設けることで、ズーム操作とバックフォーカス切替の位置、及び双方の中間の位置で移動を規制することができる。
【００７１】
以上のような構成により、最大広角の焦点距離の状態でバックフォーカスの調整が可能であり、また調整が容易なレンズ装置を提供することができる。
【符号の説明】
【００７２】
３Ａ  ズームレンズ群、３Ｂ  ズームレンズ群、５  リレーレンズ群、７  鏡胴、
１０  絞り操作リング、２２  切替ノブ、２３  スライドコマ、２４  回転ピン、
２６  絞り羽根、２７  絞りカム板、２８  回転環、２９  回転ピン、
３０  ガイドピン、３１  カム溝、３５  長溝、３６  ガイド、３９  摩擦板、
４０  規制板、４１  摩擦板、４２  弾性部材、４４  接触板、４５  板バネ、
５０  突起、５１  切り欠き、５２  固定ネジ、５５  ズーム操作リング、
５６  切替ノブ、５８  鏡胴、６１  スライドコマ、６２  カム軸、６３  カム環、
６４  連結ガイド、６７  ガイドピン、６８  カム溝、６９  長溝
【図１】
2017097135.tif 000003
【図２】
2017097135.tif 000004
【図３】
2017097135.tif 000005
【図４】
2017097135.tif 000006
【図５】
2017097135.tif 000007
【図６】
2017097135.tif 000008
【図７】
2017097135.tif 000009
【図８】
2017097135.tif 000010
【図９】
2017097135.tif 000011
【図１０】
2017097135.tif 000012
【図１１】
2017097135.tif 000013
【図１２】
2017097135.tif 000014
【図１３】
2017097135.tif 000015
【図１４】
2017097135.tif 000016
【図１５】
2017097135.tif 000017
【図１６】
2017097135.tif 000018